(57)【要約】【課題】個人情報の保護及び防犯を図ることができる電力量計を提供すること。【解決手段】電力量計１は、電力を計量する計量部２１、及び計量部２１により計量される電力量を表示する表示部２２を有する計器部２と、計器部２を収容し、計量部２１及び表示部２２を外部から視認可能な窓部３１を有する筐体部３と、窓部３１に設けられ、コレステリック液晶層４３を有する電子表示体４と、電子表示体４に接続され、計量部２１及び表示部２２の外部からの視認を遮断する第１の表示と計量部２１及び表示部２２の外部からの視認を可能にする第２の表示とのいずれか一方を電子表示体４に表示させる表示制御部５と、表示制御部５に接続され、電磁誘導部材８と近接することで電磁誘導により電力を発生する電磁誘導端子６とを備える。【選択図】図１
2010216976.tif 000002
【特許請求の範囲】
【請求項１】
電力を計量する計量部、及び前記計量部により計量される電力量を表示する表示部を有する計器部と、
前記計器部を収容し、前記計量部及び前記表示部を外部から視認可能な窓部を有する筐体部と、
前記窓部に設けられ、コレステリック液晶層を有する電子表示体と、
前記電子表示体に接続され、前記計量部及び前記表示部の外部からの視認を遮断する第１の表示と前記計量部及び前記表示部の外部からの視認を可能にする第２の表示とのいずれか一方を前記電子表示体に表示させる表示制御部と、
前記表示制御部に接続され、外部機器と近接することで電磁誘導により電力を発生する電磁誘導端子とを備えることを特徴とする電力量計。
【請求項２】
前記電子表示体は、前記窓部における前記計器部側の面に貼り付けられることを特徴とする請求項１に記載の電力量計。
【発明の詳細な説明】
【技術分野】
【０００１】
本発明は、電力量計に関する。
【背景技術】
【０００２】
従来より、一般家庭や企業等の家屋には、当該家屋で使用される電力の電力量を計量し、計量された電力量を表示する電力量計が設置されている。電力量計は、検針員が検針を行うために、計量された電力量を明瞭に表示する必要がある。電力量を明瞭に表示する電力量計としては、例えば、特許文献１のような技術が提案されている。
【０００３】
特許文献１には、電力量を測定する電力測定部と、電力測定部による測定結果を表示する表示部と、表示部を視認可能にする透明窓と、透明窓の内側面の付着物を除去するクリーニング部材とを備えた電力量計が開示されている。
【先行技術文献】
【特許文献】
【０００４】
【特許文献１】特開２００７−０７８４９３号公報
【発明の概要】
【発明が解決しようとする課題】
【０００５】
ところで、電力量計における電力量の表示は、常時外部から視認可能である。しかし、電力量の表示は、電力量計が設置される家屋における電力の使用状況を表すものであり、電力量の表示が外部から視認可能であることは、個人情報の保護の観点から好ましくない。また、電力量計の動作状態により家屋の住人が在宅であるか不在であるかの判断が可能な場合もあり、防犯上の観点からも好ましくない。
【０００６】
そこで、本発明は、個人情報の保護及び防犯を図ることができる電力量計を提供することを目的とする。
【課題を解決するための手段】
【０００７】
本発明の電力量計は、電力を計量する計量部、及び前記計量部により計量される電力量を表示する表示部を有する計器部と、前記計器部を収容し、前記計量部及び前記表示部を外部から視認可能な窓部を有する筐体部と、前記窓部に設けられ、コレステリック液晶層を有する電子表示体と、前記電子表示体に接続され、前記計量部及び前記表示部の外部からの視認を遮断する第１の表示と前記計量部及び前記表示部の外部からの視認を可能にする第２の表示とのいずれか一方を前記電子表示体に表示させる表示制御部と、前記表示制御部に接続され、外部機器と近接することで電磁誘導により電力を発生する電磁誘導端子とを備えることを特徴とする。
【０００８】
この発明によれば、外部機器と電磁誘導端子とが近接することで電磁誘導により電力を発生させる。そして、発生した電力により表示制御部は、計量部及び表示部の外部からの視認を遮断する第１の表示と、計量部及び表示部の外部からの視認を可能にする第２の表示とのいずれか一方を電子表示体に表示させる。
【０００９】
これにより、外部機器を電磁誘導端子に近接させることで、外部機器と電磁誘導端子と間に電磁誘導により発生する電力を用いて電子表示体を動作させることができる。
【００１０】
したがって、例えば、電力会社の検針員が電力量計の検針を行う場合には、外部機器を電磁誘導端子に近接させて、計量部及び表示部の外部からの視認を可能にする第２の表示を表示させる。これにより、検針員は、計量部及び表示部を視認することにより電力量計の検針を行うことができる。また、検針員が検針を行った後には、再び外部機器を電磁誘導端子に近接させて、計量部及び表示部の外部からの視認を遮断する第１の表示を表示させる。これにより、検針員以外の者は、計量部及び表示部が視認できないため、電力量計が配置される家屋の住人の個人情報を保護し、且つ防犯を図ることができる。
【００１１】
また、前記電子表示体は、前記窓部における前記計器部側の面に貼り付けられることが好ましい。
【００１２】
したがって、例えば、電子表示体が窓部における計器部と反対側の面に貼り付けられた場合と比べて、電子表示体の損傷等を抑制し、電子表示体の表示の切り替えを好適に行うことができる。
【発明の効果】
【００１３】
本発明によれば、個人情報の保護及び防犯を図ることができる電力量計を提供することができる。
【図面の簡単な説明】
【００１４】
【図１】（ａ）は、本発明の電力量計の一実施形態である電力量計１の正面図であり、（ｂ）は、図１（ａ）のＡ−Ａ線断面図である。
【図２】図１（ｂ）のＢ−Ｂ線断面図である。
【図３】本実施形態の電力量計１の機能構成を示すブロック図である。
【発明を実施するための形態】
【００１５】
以下、本発明の実施形態について図面を参照しながら説明する。
図１（ａ）は、本発明の電力量計の一実施形態である電力量計１の正面図であり、図１（ｂ）は、図１（ａ）のＡ−Ａ線断面図である。
【００１６】
図１（ａ）及び（ｂ）に示すように、電力量計１は、計器部２と、筐体部３と、電子表示体４と、表示制御部５と、電磁誘導端子６と、端子ボックス７と、を備える。
【００１７】
計器部２は、計量部２１と、表示部２２と、を備える。計量部２１は、電力を計量する。表示部２２は、計量部２１により計量される電力量を表示する。
【００１８】
筐体部３は、計器部２を収容している。この筐体部３は、計量部２１及び表示部２２を外部から視認可能な窓部３１を有する。窓部３１は、例えば、透明な樹脂等で構成される。
【００１９】
電子表示体４は、窓部３１に設けられている。具体的には、電子表示体４は、窓部３１における計器部２側の面（内面）に貼り付けられる。電子表示体４の構造については、後述する。
【００２０】
表示制御部５は、電子表示体４に電気的に接続され、電子表示体４の表示を制御する。また、図１（ｂ）に示すように、表示制御部５は、電子表示体４における計器部２側の面に設けられている。
電磁誘導端子６は、表示制御部５に接続され、外部機器としての電磁誘導部材８（図３参照）と近接することで電磁誘導により電力を発生する。電磁誘導端子６は、電磁誘導部材８との間に電磁誘導を発生させる部材で構成されている。電磁誘導端子６は、例えば、コイル、導電体等を含んで構成される。電磁誘導部材８は、例えば、コイル、導電体、電源等を含んで構成される。また、図１（ｂ）に示すように、電磁誘導端子６は、窓部３１における計器部２側の面に設けられている。
【００２１】
端子ボックス７は、計器部２と電気的に接続される。この端子ボックス７は、電力会社から電力が供給（入力）される入力端子等を有している。
【００２２】
図２は、本実施形態の電力量計１に係る電子表示体４の断面構造を示す図であり、図１（ｂ）のＢ−Ｂ線断面図である。図２に示すように、電子表示体４は、基板４１と、透明電極４２と、コレステリック液晶層４３と、透明電極４４と、基板４５と、接着層４６と、を備えている。
【００２３】
基板４１及び４５は、ガラスや樹脂（ポリカーボネート、ポリエチレンテレフタレート、ポリエーテルスルフォン等）等の透光性誘電体により構成される。
【００２４】
透明電極４２及び４４は、ＩＴＯ（Ｉｎｄｉｕｍ  Ｔｉｎ  Ｏｘｉｄｅ）、ＳｎＯ２、ＺｎＯ等の導電性酸化物、又はポリピロールやポリアニリン等の導電性樹脂等の透光性導電部材により構成される。
【００２５】
コレステリック液晶層４３は、例えば、ネマチック液晶組成物に、コレステロール誘導体や２−メチルブチル基等の光学活性基を有する化合物からなるカイラル剤を添加したものにより構成される。コレステリック液晶層４３の選択反射波長は、４００〜８００ｎｍの間の可視波長域にあるものとする。また、コレステリック液晶層４３は、メモリ特性を有する。このため、電子表示体４に一旦電圧を印加して、電子表示体４に所定の表示を行った場合、電圧を印加していない状態でも当該表示を維持できる。
【００２６】
接着層４６は、透光性で基板４１及び４５と屈折率が近い接着剤又は粘着剤により構成される。接着層４６は、窓部３１と基板４５とを接着させる。
【００２７】
図３は、本実施形態の電力量計１の機能構成を示すブロック図である。図３に示すように、表示制御部５は、制御回路５１と、電源回路５２と、を含んで構成される。制御回路５１は、電子表示体４を制御し、電子表示体４の表示を切り替える。
【００２８】
制御回路５１は、電源回路５２から供給された電圧によって動作し、電子表示体４を制御する。具体的には、制御回路５１は、電子表示体４の表示を計量部２１及び表示部２２を外部から視認を遮断する第１の表示と、電子表示体４の表示を計量部２１及び表示部２２を外部から視認を可能にする第２の表示とのいずれか一方に切り替える。また、電子表示体４は、コレステリック液晶層４３を含んで構成されているため、一旦、第１の表示又は第２の表示のいずれか一方に表示を切り替えた場合、切り替えられた表示が持続する。
【００２９】
第１の表示画面は、例えば、外部から入射した光を遮断する不透明な表示であることが好ましい。一方、第２の表示画面は、例えば、外部から入射した光を透過する透明な表示であることが好ましい。
【００３０】
電源回路５２は、電磁誘導端子６と、外部機器としての電磁誘導部材８が近接することで発生する電力を受け付ける。電源回路５２は、受け付けた電力を規定の電圧に変換し、変換後の電圧を電子表示体４及び制御回路５１へ供給する。
【００３１】
次に、電力量計１を使用する場合における動作について説明する。
先ず、電力量計１は、電子表示体４の表示を計量部２１及び表示部２２を外部から視認を遮断する第１の表示としておく。
【００３２】
次に、例えば、電力会社の検針員が検針を行う場合、検針員は、電磁誘導部材８を電磁誘導端子６に近接させる。電磁誘導部材８を電磁誘導端子６に近接させると、電磁誘導部材８と電磁誘導端子６との間に電磁誘導による電力が発生する。
【００３３】
電磁誘導部材８と電磁誘導端子６との間に発生した電力は、電磁誘導端子６から電源回路５２へ供給される。電源回路５２は、電磁誘導端子６から供給された電力を規定の電圧に変換して、変換後の電圧を制御回路５１に供給する。
【００３４】
制御回路５１は、電源回路５２から供給された電圧により電子表示体４の表示を、第１の表示から第２の表示へ切り替える。これにより、計量部２１及び表示部２２は、外部から視認が可能な状態となる。
【００３５】
次に、例えば、検針を終了した場合、検針員は、再度電磁誘導部材８を電磁誘導端子６に近接させる。電磁誘導部材８を電磁誘導端子６に近接させると、電磁誘導部材８と電磁誘導端子６との間に電磁誘導による電力が発生する。
【００３６】
電磁誘導部材８と電磁誘導端子６との間に発生した電力は、電磁誘導端子６から電源回路５２へ供給される。電源回路５２は、電磁誘導端子６から供給された電力を規定の電圧に変換して、変換後の電圧を制御回路５１に供給する。
【００３７】
制御回路５１は、電源回路５２から供給された電圧により電子表示体４の表示を、第２の表示から第１の表示へ切り替える。これにより、計量部２１及び表示部２２は、外部から視認が遮断された状態となる。
【００３８】
このように本実施形態の電力量計１によれば、窓部３１の計器部２側の面に貼付けられ、コレステリック液晶層４３を有する電子表示体４と、電子表示体４に接続され、計量部２１及び表示部２２の外部からの視認を遮断する第１の表示と計量部２１及び表示部２２の外部からの視認を可能にする第２の表示とのいずれか一方を電子表示体４に表示させる表示制御部５と、表示制御部５に接続され、電磁誘導部材８と近接することで電磁誘導により電力を発生する電磁誘導端子６と、を備えた。
【００３９】
これにより、電磁誘導部材８を電磁誘導端子６に近接させることで、電磁誘導部材８と電磁誘導端子６と間に電磁誘導により発生する電力を用いて電子表示体４を動作させることができる。
【００４０】
したがって、例えば、電力会社の検針員が電力量計１の検針を行う場合には、電磁誘導部材８を電磁誘導端子６に近接させて、計量部２１及び表示部２２の外部からの視認を可能にする第２の表示を表示させる。これにより、検針員は、計量部２１及び表示部２２を視認することにより電力量計１の検針を行うことができる。また、検針員が検針を行った後には、再び電磁誘導部材８を電磁誘導端子６に近接させて、計量部２１及び表示部２２の外部からの視認を遮断する第１の表示を表示させる。これにより、検針員以外の者は、計量部２１及び表示部２２が視認できないため、電力量計１が配置される家屋の住人の個人情報を保護し、且つ防犯を図ることができる。
【００４１】
また、本実施形態の電力量計１によれば、電子表示体４は、コレステリック液晶層４３を含んでいる。また、電磁誘導端子６は、表示制御部５に接続され、電磁誘導部材８と近接することで電磁誘導により電力を発生する。したがって、電力量計１に予め電源を設けることなく、電子表示体４の表示を切り替えることができる。
【００４２】
また、本実施形態の電力量計１によれば、電子表示体４は、窓部３１における計器部２側の面に貼り付けられる。したがって、例えば、電子表示体４が窓部３１における計器部２と反対側の面に貼り付けられた場合と比べて、電子表示体４の損傷等を抑制し、電子表示体４の表示の切り替えを好適に行うことができる。
【００４３】
以上、本発明の実施形態について説明したが、本発明は上述した実施形態に制限されるものではなく、適宜変更が可能である。例えば、電磁誘導端子６は、電磁誘導部材８から特定の周波数の電磁波を受け付けた場合に電磁誘導により電力を発生させるように構成されていてもよい。これにより、検針員以外の者が不正に計量部２１及び表示部２２を外部から視認することを抑制できる。
【００４４】
また、本発明の実施形態に記載された効果は、本発明から生じる最も好適な効果を列挙したに過ぎず、本発明による効果は、本発明の実施形態に記載されたものに限定されるものではない。
【符号の説明】
【００４５】
１  電力量計
２  計器部
３  筐体部
４  電子表示体
５  表示制御部
６  電磁誘導端子
７  端子ボックス
８  電磁誘導部材
２１  計量部
２２  表示部
３１  窓部
５１  制御回路
５２  電源回路
【図１】
2010216976.tif 000003
【図２】
2010216976.tif 000004
【図３】
2010216976.tif 000005